(57)【要約】      （修正有）【課題】ラッピングリボンの製造に供されるリボン片の両端部の接続を手作業で行うことを可能にする接続バンド、及び、接続バンドを含むラッピングリボンを提供する。【解決手段】リボン片１２の両端部１２ａ、１２ｂを接続する接続バンド１４は、伸縮可能の接続片１６と、接続片上に重ね合わされかつ接続片の両端部にそれぞれ折り返し可能に接着された２つの帯状片１８と、これらの２つの帯状片上に重ね合わされかつ接着された２つの両面接着テープ片とを備える。【選択図】図１
0003215484.tif 000002
【実用新案登録請求の範囲】
【請求項１】
環状のラッピングリボンの製造に供されるリボン片の両端部を互いに接続するための接続バンドであって、
両端部を有する伸縮可能の接続片と、
前記接続片上にそれぞれ重ね合わされかつ前記接続片の両端部にそれぞれ折り返し可能に接着された２つの帯状片と、
前記２つの帯状片上にそれぞれ重ね合わされかつ接着された２つの両面接着テープ片とを備える、接続バンド。
【請求項２】
さらに、前記２つの両面接着テープ片の片面にそれぞれ接着された２つの剥離紙片を備える、請求項１に記載の接続バンド。
【請求項３】
各接続片は織ゴムからなる、請求項１又は２に記載の接続バンド。
【請求項４】
各帯状片はメタリックリボン片からなる、請求項１〜３のいずれか１項に記載の接続バンド。
【請求項５】
リボン片と、該リボン片の両端部を互いに接続する接続バンドとを備え、
前記接続バンドは、両端部を有する伸縮可能の接続片と、該接続片上にそれぞれ重ね合わされかつ前記接続片の両端部にそれぞれ折り返し可能に接着された２つの帯状片と、該２つの帯状片上にそれぞれ重ね合わされかつ接着された２つの両面接着テープ片とを有し、
前記リボン片の両端部は、それぞれ、前記２つの帯状片と共に折り返された２つの両面接着テープ片に挟まれかつ接着されている、環状のラッピングリボン。
【考案の詳細な説明】
【技術分野】
【０００１】
本考案は、接続バンド及び該接続バンドを含む環状のラッピングリボンに関する。
【背景技術】
【０００２】
従来、商品又はその包装を装飾するためにこれに掛けられる環状のラッピングリボンが提案されている。このラッピングリボンは、リボン片と該リボン片の両端部に固定された伸縮性を有する接続片とからなる。これによれば、接続片の伸縮性を利用して、商品又はその包装の形状に適合するようにあるいはフィットするように、また、外れ難く商品又はその包装にラッピングリボンを掛けることができる。
【０００３】
ところで、ラッピングリボンの製造に際し、前記リボン片に対する接続片の取り付けは、通常、工場において機械的手段を用いて行われる。しかし、これを工場以外の場所、例えば商品を販売する店舗において手作業で行うことができれば、必要に応じて、また、商品等の大きさにより適合するラッピングリボンを準備することが可能である。
【先行技術文献】
【特許文献】
【０００４】
【特許文献１】特開２００３−３４２８６１号公報
【考案の概要】
【考案が解決しようとする課題】
【０００５】
本考案の目的は、ラッピングリボンの製造に供されるリボン片の両端部の接続を手作業で行うことを可能にする接続バンドを提供することにある。また、本考案の他の目的は前記接続バンドを含むラッピングリボンを提供することにある。
【課題を解決するための手段】
【０００６】
本考案は、ラッピングリボンの製造に供されるリボン片の両端部を互いに接続するための接続バンドに係る。前記接続バンドは、両端部を有する伸縮可能の接続片と、該接続片上に重ね合わされかつ前記接続片の両端部にそれぞれ折り返し可能に接着された２つの帯状片と、これらの２つの帯状片上にそれぞれ重ね合わされかつ接着された２つの両面接着テープ片とを備える。
【０００７】
本考案によれば、接続バンドによるリボン片の両端部の相互接続は次のようにして行うことができる。すなわち、前記接続バンドの各帯状片とこれに接着された各両面接着テープ片とを折り返し、折り返された両面接着テープ片間にリボン片の各端部を挟み、次いで前記リボン片の各端部の両面に前記折り返された両面接着テープ片を押し付け、接着することにより行うことができる。これにより、環状のラッピングリボンが得られる。前記接続バンドによる前記リボン片の両端部の相互接続は手作業により行うことが可能である。
【０００８】
前記接続バンドは、好ましくは、さらに、前記２つの両面接着テープ片の片面にそれぞれ接着され被覆する２つの剥離紙片を備える。前記剥離紙片は、前記接続バンドの使用までの間、前記両面粘着テープ片の片面を保護する働きをなす。
【０００９】
前記接続片は、例えば織ゴムからなる。また、前記帯状片は、好ましくは、装飾性に富む材料の一つであるメタリックリボン片からなる。
【図面の簡単な説明】
【００１０】
【図１】環状のラッピングリボンの斜視図である。
【図２】ラッピングリボンをその内側から見た部分斜視図である。
【図３】接続バンドの斜視図である。
【図４】リボン片の両端部への取り付けの途上にある接続バンドの概略的な断面図である。
【考案を実施するための形態】
【００１１】
図１を参照すると、環状のラッピングリボンが全体に符号１０で示されている。ラッピングリボン１０は、商品又はその包装（図示せず）の装飾のために前記商品又は包装に掛けられる。
【００１２】
図１及び図２に示すように、ラッピングリボン１０は、リボン片１２と、該リボン片の両端部１２ａ、１２ｂを互いに接続する接続バンド１４とを有する。ラッピングリボン１０は、さらに、例えばリボン片１２に結び付けられ該リボン片の両端部１２ａ、１２ｂ間に位置する蝶結び（図示せず）を備えるものとすることができる。
【００１３】
ラッピングリボン１０の製造に供されるリボン片１２は、ナイロン繊維、ポリエステル繊維のような合成繊維製の織物、アセテートのような化学繊維製の織物、天然繊維製の織物、ポリプロピレン製やビニル製のテープ等からなる。
【００１４】
図３に示すように、リボン片１２の両端部１２ａ、１２ｂを接続する接続バンド１４は、伸縮可能のあるいは伸縮性を有する接続片１６と、２つの帯状片１８と、２つの両面接着テープ片２０とを備える。
【００１５】
接続バンド１４の接続片１６は好ましくは全体に帯状を呈し、一端部１６ａ及び他端部１６ｂを有する織ゴムからなり、その長手方向に伸縮可能である。接続片１６の幅寸法、長さ寸法等は、ラッピングリボン１０が発揮する装飾性を考慮して設定することができる。また、接続片１６は、リボン片１２が有する色彩を考慮した色彩を有するものとすることができる。なお、接続片１６は、図示の例に代えて、例えば一又は複数のゴム紐（図示せず）からなるものとすることが可能である。
【００１６】
接続バンド１４の２つの帯状片１８は、それぞれ、接続片１６上に重ね合わされ、かつ接続片１６の両端部１６ａ、１６ｂにそれぞれ接着され、これにより接続片１６上において折り返し可能とされている。
【００１７】
図示の例では、両帯状片１８はそれぞれ接続片１６の半分の長さ寸法を有し、接続片１６の片面を覆っている。両帯状片１８はそれぞれ接続片１６の各端部１６ａ、１６ｂに接着されている。より詳細には、各帯状片１８はその一部、図示の例にあっては帯状片１８の半分の長さ寸法を有する一半部１８ａにおいて、接続片１６の各端部１６ａ、１６ｂに接着されている。また、各帯状片１８は接着されてない他半部１８ｂを一半部１８ａに向けて折り返し、一半部１８ａに相対するようにすることが可能である。各帯状片１８は、例えば金糸、銀糸等を用いて織られたメタリックリボン片からなるものとすることができる。前記メタリックリボン片は、ラッピングリボン１０の装飾性の向上に寄与する。
【００１８】
また、２つの両面接着テープ片２０は、それぞれ、両帯状片１８上に重ね合わされかつこれらの両面のうちの一方の面（一方の片面）２０ａにおいて接着されている。各両面接着テープ片２０の他方の面（他方の片面）２０ｂは露出している。好ましくは、各両面接着テープ片２０の他方の面２０ｂは、該他方の面に接着された剥離紙片（図示せず）により保護される。図示の例において、各両面接着テープ片２０は各帯状片１８と同じ長さ寸法を有し、また、各帯状片１８より小さい幅寸法を有する。図示の例に代えて、例えば各両面接着テープ片２０の長さ寸法を各帯状片１８の長さ寸法より小さいものとし、あるいは、各両面接着テープ片２０の幅寸法を各帯状片１８の幅寸法と同じものとすることができる。
【００１９】
リボン片１２の両端部１２ａは、次のようにして、互いに接続することができる。
【００２０】
図４に示すように、接続バンド１４によれば、次のようにして、リボン片１２の両端部１２ａ、１２ｂを相互に接続することができる。まず、接続バンド１４の各帯状片１８とこれに接着された各両面接着テープ片２０とを折り返す。但し、両面接着テープ片２０の他方の面２０ｂが前記剥離紙片で覆われているときは、折り返しに先立ち、前記剥離紙片を両面接着テープ片２０から引き剥がし、他方の面２０ｂを露出させる。次に、折り返された各両面接着テープ片２０間、より詳細には折り返しにより形成された両面接着テープ片２０の他方の面２０ｂが規定するＶ字形の空間にリボン片１２の各端部１２ａ、１２ｂを挟む。次いで、リボン片１２の各端部１２ａ、１２ｂの両面に各両面接着テープ片２０の他方の面２０ｂを押し付ける。これにより、２つの両面接着テープ片２０を介して、リボン片１２の両端部１２ａ、１２ｂに２つの帯状片１８をそれぞれ接着する。これにより、リボン片１２の両端部１２ａ、１２ｂが伸縮可能の接続片１６を介して互いに接続され、環状のラッピングリボン１０が得られる。
【００２１】
リボン片１２の両端部１２ａの接続バンド１４による接続は、例えば手作業により行うことができる。このことから、例えば商品を販売する店舗において必要に応じて、また、商品等の大きさにより適合するラッピングリボン１０を準備することが可能である。
【符号の説明】
【００２２】
１０  ラッピングリボン
１２  リボン片
１４  接続バンド
１６  接続片
１８  帯状片
２０  両面接着テープ片
【図１】
0003215484.tif 000003
【図２】
0003215484.tif 000004
【図３】
0003215484.tif 000005
【図４】
0003215484.tif 000006